(57)【特許請求の範囲】
【請求項１】
情報配信装置と無線通信する車両用情報表示装置であって、
地図を表示するための地図データを記憶する記憶手段と、
前記情報配信装置と無線通信する無線通信手段と、
前記地図データに基づいた地図や、前記無線通信手段により受信された受信情報を表示するディスプレイと、
前記無線通信手段を通じて、前記地図データとは異なる他の受信情報を受信するために開始された前記無線通信の送受信アイドル期間に、地図データを単独で受信し、その受信した地図データにより、前記記憶手段に記憶している地図データの更新または追加を行う制御手段と
を含むことを特徴とする車両用情報表示装置。
【請求項２】
情報配信装置と無線通信する車両用情報表示装置であって、
地図を表示するための地図データを記憶する記憶手段と、
前記情報配信装置と無線通信する無線通信手段と、
前記地図データに基づいた地図や、前記無線通信手段により受信された受信情報を表示するディスプレイと、
前記無線通信手段を通じて、前記地図データとは異なる他の情報を受信するために開始された前記無線通信において、該他の情報の受信が完了すると、該無線通信についての課金が同一料金帯を越えない残りの期間内において、前記地図データを受信し、その受信した地図データにより、前記記憶手段に記憶している地図データの更新または追加を行う制御手段と
を含むことを特徴とする車両用情報表示装置。
【請求項３】
情報配信装置と無線通信する車両用情報表示装置であって、
地図を表示するための地図データを記憶する記憶手段と、
前記情報配信装置と無線通信を行う無線通信手段と、
前記地図データに基づいた地図や、前記無線通信手段により受信された受信情報を表示するディスプレイと、
前記無線通信手段を通じて、前記地図データとは異なる他の情報を受信するために開始された前記無線通信を介して、該地図データについても自動的に受信し、その受信した地図データにより、前記記憶手段に記憶している地図データの更新または追加を行う制御手段とを含み、
前記地図データには、その地図データにより表示される地図上の地域に関する情報内容が含まれており、前記制御手段は、前回の無線通信時の受信情報に基づいて、次回の無線通信時に受信する地図データによって追加可能な情報内容の項目を前記ディスプレイ表示させると共に、その情報項目を選択可能な設定手段を含むことを特徴とする車両用情報表示装置。
【請求項４】
地図と、情報配信装置から無線通信によって受信した受信情報とをディスプレイに表示させる制御手段を備える車両用情報表示装置であって、
前記ディスプレイに表示される地図上の地域に関するサービス情報を記憶する記憶手段を備え、
前記制御手段は、前記サービス情報とは異なる他の情報を受信するために開始された前記無線通信の送受信アイドル期間に前記サービス情報を単独で受信し、その受信したサービス情報により、前記記憶手段に記憶しているサービス情報の更新または追加を行うことを特徴とする車両用情報表示装置。
【請求項５】
地図と、情報配信装置から無線通信によって受信した受信情報とをディスプレイに表示させる制御手段を備える車両用情報表示装置であって、
前記ディスプレイに表示される地図上の地域に関するサービス情報を記憶する記憶手段を備え、
前記制御手段は、前記サービス情報とは異なる他の情報を受信するために開始された無線通信において、該他の情報の受信が完了すると、該無線通信についての課金が同一料金帯を越えない残りの期間内において、前記サービス情報を受信し、その受信したサービス情報により、前記記憶手段に記憶しているサービス情報の更新または追加を行うことを特徴とする車両用情報表示装置。
【請求項６】
地図と、情報配信装置から無線通信によって受信した受信情報とをディスプレイに表示させる制御手段を備える車両用情報表示装置であって、
前記ディスプレイに表示される地図上の地域に関するサービス情報を記憶する記憶手段を備え、
前記制御手段は、前記サービス情報とは異なる情報を受信するために開始された前記無線通信を介して、前記サービス情報を自動的に受信し、その受信したサービス情報により、前記記憶手段に記憶しているサービス情報の更新または追加を行うものであり、かつ、
前記制御手段は、前回の無線通信時の受信情報に基づいて、次回の無線通信時に受信するサービス情報によって追加可能な情報内容の項目を前記ディスプレイ表示させると共に、その情報項目を選択可能な設定手段を含むことを特徴とする車両用情報表示装置。
【請求項７】
車両用情報表示装置のディスプレイに表示する情報を、無線通信によって配信する情報配信装置であって、
受信した識別情報が予め登録されている識別情報に含まれる場合、その識別情報を送信した所定の車両用情報表示装置に対して、前記ディスプレイに地図を表示させるための地図データとは異なる他の情報を配信するために開始された無線通信の送受信アイドル期間に、該地図データを単独で送信する通信制御手段を備えることを特徴とする情報配信装置。
【請求項８】
車両用情報表示装置のディスプレイに表示する情報を、無線通信によって配信する情報配信装置であって、
受信した識別情報が予め登録されている識別情報に含まれる場合、その識別情報を送信した所定の車両用情報表示装置に対して、前記ディスプレイに地図を表示させるための地図データとは異なる他の情報を配信するために開始された無線通信を通じて、該地図データも自動的に送信する通信制御手段を備え、
前記通信制御手段は、前記地図データとは異なる他の情報の送信が完了した後であって、前記所定の車両用情報表示装置との無線通信の課金が同一料金帯を越えない期間内に、前記地図データを送信することを特徴とする情報配信装置。
【請求項９】
前記通信制御手段は、前記地図データを送信するのに先だって、前記期間内に送信を完了することが可能な地図データを選択し、その選択した地図データを送信することを特徴とする請求項８記載の情報配信装置。
【請求項１０】
車両用情報表示装置のディスプレイに表示する情報を、無線通信によって配信する情報配信装置であって、
受信した識別情報が予め登録されている識別情報に含まれる場合、その識別情報を送信した所定の車両用情報表示装置に対して、前記ディスプレイに地図を表示させるための地図データとは異なる情報を送信するために開始された無線通信を通じて、該地図データを自動的に送信する通信制御手段を備え、
前記地図データには、そのデータにより表示される地図上の地域に関する情報内容が含まれており、前記通信制御手段は、前記受信情報に基づいて、前記所定の車両用情報表示装置への今回の地図データの中に、次回の地図データに含むことが可能な情報内容の項目を含めて送信することを特徴とする情報配信装置。
【請求項１１】
車両用情報表示装置のディスプレイに表示する情報を、無線通信によって配信する情報配信装置であって、
受信した識別情報が予め登録されている識別情報に含まれる場合、その識別情報を送信した所定の車両用情報表示装置に対して、前記車両用情報表示装置のディスプレイに表示される地図上の地域に関するサービス情報とは異なる他の情報を送信するために開始された無線通信の送受信アイドル期間に、該サービス情報を単独で送信する通信制御手段を備えることを特徴とする情報配信装置。
【請求項１２】
車両用情報表示装置のディスプレイに表示する情報を、無線通信によって配信する情報配信装置であって、
受信した識別情報が予め登録されている識別情報に含まれる場合、その識別情報を送信した所定の車両用情報表示装置に対して、前記車両用情報表示装置のディスプレイに表示される地図上の地域に関するサービス情報とは異なる他の情報を送信するために開始された無線通信を通じて、該サービス情報を自動的に送信する通信制御手段を備え、
前記通信制御手段は、前記サービス情報とは異なる他の情報の送信が完了した後であって、前記所定の車両用情報表示装置との無線通信の課金が同一料金帯を越えない期間内に、前記サービス情報を送信することを特徴とする情報配信装置。
【請求項１３】
前記通信制御手段は、前記サービス情報を送信するのに先だって、前記期間内に送信を完了することが可能なサービス情報を選択し、その選択したサービス情報を送信することを特徴とする請求項１２記載の情報配信装置。
【請求項１４】
車両用情報表示装置のディスプレイに表示する情報を、無線通信によって配信する情報配信装置であって、
受信した識別情報が予め登録されている識別情報に含まれる場合、その識別情報を送信した所定の車両用情報表示装置に対して、前記車両用情報表示装置のディスプレイに表示される地図上の地域に関するサービス情報とは異なる他の情報を送信するために開始された無線通信を通じて、該サービス情報を自動的に送信する通信制御手段を備え、
前記通信制御手段は、前記所定の車両用情報表示装置から受信した情報に基づいて、該所定の車両用情報表示装置への今回のサービス情報の中に、次回のサービス情報に含むことが可能な情報内容の項目を含めて送信することを特徴とする情報配信装置。
【発明の詳細な説明】
【０００１】
【発明の属する技術分野】
本発明は、車両用情報表示装置及び情報配信装置に関し、例えば代表的な車両である自動車に搭載される情報表示装置及びその情報表示装置に情報を配信する情報配信装置に関する。
【０００２】
【従来の技術】
従来より、代表的な車両である自動車においては、外部より受信したＧＰＳ（グローバルポジショニングシステム）信号等に基づいて、自車両の位置情報や目的地までの経路誘導等のナビゲーション情報が入手可能なナビゲーションシステムが普及しつつある。
【０００３】
また、このようなナビゲーションシステムの応用例として、例えば、特開平１０−１０３９７７号には、位置情報の入手だけでなく、更に無線通信による受信情報として、インターネット情報をも入手可能なナビゲーションシステムが提案されている。
【０００４】
【発明が解決しようとする課題】
しかしながら、上記従来例においては、地図情報等の各種情報を受信し、車両側で記憶しているそれらの情報を更新することができるが、その情報の更新・追加のためだけに通信を行う必要が有り、通信効率、通信コストの両方の観点からも効率的でない。
【０００５】
そこで本発明は、使用可能な地図情報を自動的に且つ効率的に更新・追加する車両用情報表示装置と、その更新・追加すべき地図情報を自動的に且つ効率的に送信する情報配信装置の提供を目的とする。
【０００６】
【課題を解決するための手段】
上記の目的を達成するため、本発明に係る車両用情報表示装置は、以下の構成を特徴とする。
【０００７】
即ち、情報配信装置と無線通信する車両用情報表示装置であって、地図を表示するための地図データを記憶する記憶手段と、前記情報配信装置と無線通信する無線通信手段と、前記地図データに基づいた地図や、前記無線通信手段により受信された受信情報を表示するディスプレイと、前記無線通信手段を通じて、前記地図データとは異なる他の受信情報を受信するために開始された前記無線通信の送受信アイドル期間に、地図データを単独で受信し、その受信した地図データにより、前記記憶手段に記憶している地図データの更新または追加を行う制御手段とを含むことを特徴とする。或いは、前記無線通信手段を通じて、前記地図データとは異なる他の情報を受信するために開始された前記無線通信において、該他の情報の受信が完了すると、該無線通信についての課金が同一料金帯を越えない残りの期間内において、前記地図データを受信し、その受信した地図データにより、前記記憶手段に記憶している地図データの更新または追加を行っても良い。
【０００８】
また、例えば前記制御手段は、前記地図情報とは異なる他の情報の受信が完了した後であって、前記情報配信装置との無線通信の課金が同一料金帯を越えない期間内に、前記地図情報を受信するとよい。
【０００９】
上記の何れの車両用情報表示装置においても、地図情報は、地域に関するサービス情報であってもよい。
【００１０】
または、上記の目的を達成するため、本発明に係る情報配信装置は、以下の構成を特徴とする。
【００１１】
即ち、車両用情報表示装置のディスプレイに表示する情報を、無線通信によって配信する情報配信装置であって、受信した識別情報が予め登録されている識別情報に含まれる場合、その識別情報を送信した所定の車両用情報表示装置に対して、前記ディスプレイに地図を表示させるための地図データとは異なる他の情報を配信するために開始された無線通信の送受信アイドル期間に、該地図データを単独で送信する通信制御手段を備えることを特徴とする。
【００１２】
また、例えば前記通信制御手段は、前記地図情報とは異なる他の情報の送信が完了した後であって、前記所定の車両用情報表示装置との無線通信の課金が同一料金帯を越えない期間内に、前記地図情報を送信するとよい。
【００１３】
上記の何れの情報配信装置においても、地図情報は、地域に関するサービス情報であってもよい。
【００１４】
【発明の実施の形態】
以下、本発明を、情報配信装置としての情報センター及び無線基地局と、車両用情報表示装置としての自動車のナビゲーション装置（ユニット）とにより構成される無線通信システムに適用した実施形態として、図面を参照して詳細に説明する。尚、以下に説明する実施形態においては、更新・追加を行う情報を、地図情報として説明するが、地図情報と同様に地域に関するサービス情報の更新・追加を行うシステムとして構成しても良い。
【００１５】
図１は、本発明の第１の実施形態における無線通信システムのシステム構成図である。
【００１６】
同図において、ナビゲーションユニット１が搭載された車両１００は、外部よりＧＰＳ信号等を受信すると共に、無線基地局２１との無線通信を介して情報センター２との相互通信を行う。
【００１７】
図２は、本発明の第１の実施形態における無線通信システムのブロック構成図である。
【００１８】
同図において、ナビゲーションユニット１には、以下の各ユニットが接続されている。即ち、１１は、ＧＰＳ信号を受信するＧＰＳ受信機である。１２は、ＶＩＣＳ（道路交通情報通信システム）信号を受信するＶＩＣＳ受信機である。１３は、地図情報及び地域のサービス情報（例えばレストラン等の位置、電話番号等）が予め格納されている記憶媒体としてのＣＤ−ＲＯＭ（ＤＶＤ−ＲＯＭであってもよい）から地図情報等を読み出すＣＤ−ＲＯＭリーダである。１４は、ナビゲーションユニット１の所定の操作を入力可能な操作スイッチである。１５は、車両１００の自車速を検出する車速センサである。１６は、車両１００の走行状態や位置補正に使用するジャイロセンサである。１７は、車両１００の現在位置、経路誘導路、そして情報センタ−２から入手した受信情報を表示するディスプレイであり、その表示画面の前面には操作スイッチ１４として機能するフィルムが設けられている。１８は、ナビゲーションユニット１によって検出した状態の報知や、経路誘導のための音声等を出力するブザーやスピーカ等の報知ユニットである。１９は、無線基地局２１を介して情報センター２との無線通信を行う無線機である。２０は、エンジンの温度計やバッテリの液面計等の各種センサー群である。ナビゲーションユニット１のＣＰＵ１０１は、ＲＡＭ１０２をワークエリア等として使用しながら、ＲＯＭ１０３に予め格納されているプログラムに従って、後述する表示・通信制御処理を実行する。また、１０４は、読み出し／書き込みが可能な記憶素子（メモリ）またはハードディスク等の記憶装置であり、追加・更新された地図情報及びその識別情報や、ＣＤ−ＲＯＭリーダ１３から読み出し可能な地図データの識別情報等が格納される。また、これらの識別情報には、所定のデータ単位で、後述する自動的な更新・追加を許可／禁止する識別フラグ（更新可否フラグ、追加可否フラグ）を、操作スイッチ１４からの操作により設定することができる。
【００１９】
また、情報センター２には、サーバとして機能するホストコンピュータ２０１と、そのコンピュータに接続されたデータベース２０２とが設けられており、ホストコンピュータ２０１は、データベース２０２から読み出した情報を、無線基地局２１を介して車両１００の無線機１９に向けて送信する。
【００２０】
本実施形態において、無線機１９と無線基地局２１との間の無線通信は、移動体通信手段としての所謂携帯電話、ＰＨＳ等の無線公衆電話回線網であり、且つ無線基地局２１と情報センター２との間の通信は、一般的な公衆電話回線網であり、何れの回線も所定の時間毎に課金が行われるものとする。
【００２１】
また、本実施形態において、ナビゲーションユニット１と情報センター２との間の相互通信は、所謂、無線通信を介したインターネット通信であり、ナビゲーションユニット１は、一般的なブラウザプログラムを基本とする閲覧機能を有しており、情報センター２は、所定のＵＲＬ(Uniform Resorce Locator)により識別可能な、一般的なＷＷＷ(World Wide Web)のインターネットサービスプロバイダとして機能する。
【００２２】
尚、以下の説明においては、情報センター２からの受信情報がインターネット情報である場合を例に説明するが、当該情報センターを中継センターとする所謂電子メール情報の相互通信であってもよい。または、インターネット情報と電子メール情報とを両方とも通信可能に構成してもよい。
【００２３】
図３は、本発明の第１の実施形態における車両と情報センターとの通信手順を概念的に示す説明図である。
【００２４】
同図に示すように、車両１００の操作スイッチ１４の所定の操作により、特定のＵＲＬを有する情報センター２との通信回線が確保されると、車両１００からは、インターネット情報の入手を要求するコール信号が送信される。情報センター２では、コール信号に含まれる情報に応じたインターネット情報を含むセンター信号が送信される。その後、操作スイッチ１４の所定の操作により、終話操作が検出されるまで、更に他のインターネット情報を要求する車両信号が車両１００から送信される度に、その車両信号に含まれる情報に応じたインターネット情報を含むセンター信号が送信される。尚、車両状態／更新信号については、第２の実施形態にて使用する。
【００２５】
本実施形態において、ナビゲーションユニット１と情報センター２との間の通信形態は、ナビゲーションユニットが所定のグループに属しているか否かに応じて、以下に説明する図４及び図５の通信フォーマット、または図６及び図７の通信フォーマットの何れかが使用される。また、所定のグループに属しているか否かの判断には、ナビゲーションユニット１の識別（ＩＤ）が、情報センター２にて登録済みかを確認することによって判断する。
【００２６】
図４は、本発明の第１の実施形態におけるコール信号及び車両信号のフィールド構成を示す図であり、図５は、本発明の第１の実施形態におけるセンター信号のフィールド構成を示す図であり、何れの信号も所定のグループに属していないナビゲーションユニットの無線機１９と、無線基地局２１との間の無線通信時の通信形態を示している。
【００２７】
図４に示すコール信号及び車両信号は、３０１から３０７の各フィールドにより構成されており、当該信号の先頭を表わすと共に信号種を表わすビットを含むスタートビット、接続先の情報センター２の電話番号及びＵＲＬを含むディスティネーションアドレスビット、送信元であるナビゲーションユニット１の識別（ＩＤ）番号及び無線機（携帯電話）１９の電話番号及びその電話番号の所有者のＵＲＬを含むナビゲーションユニット（ナビ）ＩＤビット、要求する情報の種類等を表わす機能ビット、送信すべきデータが含まれるデータビット、コール信号（車両信号）の情報内容の妥当性判断に使用可能なパリティビット、そしてコール信号（車両信号）の末端を表わすエンドビットからなる。
【００２８】
図５に示すセンター信号も、コール信号（車両信号）と同様なフィールド構成であるが、フィールド内の情報の種類が異なる。即ち、フィールド３０２のディスティネーションアドレスビットには、送信先であるナビゲーションユニット１の識別（ＩＤ）番号及び無線機（携帯電話）１９の電話番号及びその電話番号の所有者のＵＲＬを含む。フィールド３０３の情報センター（センター）ＩＤビットには、送信元の情報センター２の電話番号及びＵＲＬを含む。フィールド３０４の機能ビットには、送信する情報の種類等を含み、フィールド３０５のデータビットには、ナビゲーションユニット１に送信すべきデータ、即ちディスプレイ１７に画面を構成するための制御コード、文字（キャラクタ）データ、背景データ、並びに画像データを含む。このデータビットの具体な構成例としては、ＪａｖａＳｃｒｉｐｔのタグ(tag)等を利用してＨＴＭＬ(Hyper Text Markup Language)にて記述されたＷｅｂページのファイルが想定される。
【００２９】
また、接続を希望する情報センター２が車両１００の現在位置から遠い位置に存在するときには、車両１００の現在位置を送受信範囲とする無線基地局２１に比較的近い情報センター２に一旦送受信情報を蓄えると共に、その情報センター２と当該接続を希望する情報センター２との間の通信は、所定の通信プロトコルに従って、例えばパケット単位で行えば良く、詳細な説明は省略する。
【００３０】
図６は、本発明の第１の実施形態におけるコール信号及び車両信号のフィールド構成を示す図であり、図７は、本発明の第１の実施形態におけるセンター信号のフィールド構成を示す図であり、何れの信号も所定のグループに属しているナビゲーションユニットの無線機１９と、無線基地局２１との間の無線通信時の通信形態を示している。
【００３１】
図６に示すコール信号及び車両信号のフィールド構成で図４に示すフィールド構成と異なるのは、フィールド３０５のデータビットと、フィールド３０６のパリティビットとの間に、フィールド３６０の状態フラグビット、フィールド３６１のセンサステータスビット、そして、フィールド３６２の地図データステータス・現在位置ビットを有することである。ここで、状態フラグビットは、ナビゲーションユニット１の操作者が後述する地図データの更新・追加機能と車両状態データの受信機能とを操作スイッチ１４の操作によって無効にしているか否かを表わす状態フラグＦＬを表わす。センサステータスビットは、車速センサ１５、ジャイロセンサ１６等の出力値や、各種センサー群２０の検出値を表わす。地図データステータス・現在位置ビットは、記憶装置１４（ＲＡＭ１０２であっても良い）に記憶しているところの、追加・更新された地図データ及びその識別情報や、ＣＤ−ＲＯＭリーダ１３から読み出し可能な地図情報の識別情報と、ＧＰＳ受信機１１によって受信したＧＰＳ信号等に基づいて検出した車両１００の現在位置情報（現在ナビゲーションユニット１のディスプレイ１７に表示している地図データ及びその縮尺、車両１００の進行方向に関する情報を含む）とを表わす。
【００３２】
一方、図７に示すセンター信号のフィールド構成で図５に示すフィールド構成と異なるのは、フィールド３０５のデータビットと、フィールド３０６のパリティビットとの間に、フィールド３６３の車両状態ビットと、フィールド３６４の更新ビットと、そして、フィールド３６５の地図データビットとを有することである。ここで、車両状態ビットは、情報センター２にて故障診断の結果やディスプレイ１７に表示すべきガイダンス等を表わす。更新ビットは、ナビゲーションユニット１への地図データの更新指示の有無を表わす。地図データビットは、ナビゲーションユニット１側で更新すべき及び／または追加すべき地図データを表わす。
【００３３】
尚、これらの車両状態ビット、更新ビット、そして地図データビットの各フィールドは、送信すべき実質的な情報内容が無いときにもセンター信号に含まれる構成としても良いが、可能な限り通信時間を短縮することにより、通信コストを低減するという観点からは、情報センター２側の制御により、車両１００側に送信する必要が有る場合にのみ追加されるように構成するとよい。
【００３４】
次に、所定のグループに属するナビゲーションユニット１が行う表示・通信制御処理と、情報センター２が行う情報配信制御処理について説明する。
【００３５】
＜ナビゲーションユニット１の制御＞
図９及び図１０は、本発明の第１の実施形態におけるナビゲーションユニット１が行う表示・通信制御処理を示すフローチャートである。
【００３６】
同図において、ステップＳ１，ステップＳ３：操作スイッチ１４の設定状態を検出することにより、現在ナビゲーションモードになっているか否かを判断し（ステップＳ１）、ＮＯの（ナビゲーションモードではない）ときには、ディスプレイ１７に、例えば空調設定が可能な空調制御モードの画面を表示し（ステップＳ３）、リターンする。
【００３７】
ステップＳ２：ステップＳ１の判断でＹＥＳの（ナビゲーションモードの）ときには、ＧＰＳ受信機１１により入手したＧＰＳ信号、車速センサ１５により検出した自車速、ジャイロセンサ１６により検出した車両１００の走行状態、並びにＣＤ−ＲＯＭリーダ１３から入手する地図情報を用いたマップマッチングに基づいて、一般的な手法により、自車両の現在位置を算出し、その値をＲＡＭ１０２に格納する。
【００３８】
ステップＳ４：ディスプレイ１７にて現在選択されている表示縮尺と、ステップＳ１で算出した現在位置とに基づいて、表示すべき地図情報をＣＤ−ＲＯＭリーダ１３から読み出す。
【００３９】
ステップＳ５，ステップＳ６：経路誘導路の表示モードであるか否かを判断し（ステップＳ５）、ＮＯの（経路誘導路表示モードではない）ときには、例えば目的地の設定が可能な目的地設定モードの画像面を表示し（ステップＳ６）、リターンする。
【００４０】
ステップＳ７〜ステップＳ９：ステップＳ５の判断でＹＥＳ（経路誘導路表示モードである）のときには、操作スイッチ１４の所定の操作により、地図データの更新・追加機能と車両状態データの受信機能とが無効にされた状態か否かを判断し（ステップＳ７）、ＮＯの（無効でない）ときには状態フラグＦＬを１にセットし（ステップＳ８）、ＹＥＳ（無効）のときには状態フラグＦＬを０にリセットする（ステップＳ９）。
【００４１】
ステップＳ１０：操作スイッチ１４の操作状態により、インターネット（電子メールであってもよい）通信回線の接続中か否か、並びに回線切断状態からの最初の接続操作のための所定の操作が行われたか否かを判断し、ＹＥＳ（接続操作有り）のときには図１０のステップＳ１４に進む。
【００４２】
ステップＳ１１：ステップＳ７の判断でＮＯ（接続操作無し）のときには、状態フラグＦＬが１か否かを判断し、ＮＯ（ＦＬ＝０）のときにはステップＳ１３に進む。
【００４３】
ステップＳ１２：ステップＳ１１の判断でＹＥＳ（ＦＬ＝１）のときには、今回の制御周期が通信終了の直後であって、情報センター２から受信したセンター信号のフィールド３６３に車両状態ビットが含まれるか否かを判断し、含まれるときにはその車両状態ビットが表わす情報をディスプレイ１７に表示する。
【００４４】
ステップＳ１３：ステップＳ２で算出した現在位置及びその現在位置周辺の地図情報を、表示パターンＡ（図１６）のように、所望の縮尺でディスプレイ１７に表示する。
【００４５】
ステップＳ１４：図９のステップＳ１０の判断でＹＥＳ（接続操作有り）のときには、ナビゲーション画面（簡易ナビゲーション画面）と、インターネット情報画面とを、例えば図１７及び図１８に示すような表示パターンＢで、所定のサイズでディスプレイ１７に同時に表示する（詳細は後述する）と共に、回線切断状態からの最初の接続操作であるときには、情報センター２に情報の配信を要求するため、図６に示す通信フォーマットのコール信号を送信する。
【００４６】
ステップＳ１５：ディスプレイ１７上のナビゲーション画面に表示されている何れかの地名に対して操作が行われたか否かを判断し、ＮＯ（操作無し）のときにはステップＳ１７に進む。
【００４７】
ステップＳ１６：ステップＳ１５の判断でＹＥＳの（操作が行われた）ときには、その操作に対応するインターネット情報を次回の受信情報で希望する旨を表わす機能ビットと、操作によって選択された地名のコードを表わすデータを表わすデータビットとを含む車両信号（図６の通信フォーマットの車両信号）を無線機１９を介して送信し（詳細は後述する）、ステップＳ１７に進む。
【００４８】
ステップＳ１７：センター信号を受信したかを判断し、ＮＯ（受信しない）のときにはステップＳ１９に進む。
【００４９】
ステップＳ１８：ステップＳ１７の判断でＹＥＳの（受信した）ときには、表示パターンＢでディスプレイ１７上に表示されているインターネット情報画面内に、受信したセンター信号の機能ビットとデータビットと（フィールド３０４，３０５）に応じた情報内容を表示すると共に、必要に応じて地図データの更新・追加を行い（詳細は後述する）、ステップＳ１９に進む。
【００５０】
ステップＳ１９：状態フラグＦＬが１にセットされているか否かを判断し、ＮＯ（ＦＬ＝０）のときにはリターンする。
【００５１】
ステップＳ２０：ステップＳ１９の判断でＹＥＳ（ＦＬ＝１）のときには、情報センター２への前回の通信完了タイミングから所定時間が経過したか否かを判断し、ＮＯ（所定時間以内）のときにはリターンする。
【００５２】
ステップＳ２１：ステップＳ１９の判断でＹＥＳ（所定時間経過）のときには、情報センター２にて故障診断等を行うために車両１００の各種センサーの最新の検出値の送信を促すことにより、車両の状態情報の定期的なトレンドが採れなくなることを防止すべく、情報センター２への通信（コール信号及びまたは車両信号の送信）を促す所定のガイダンスをディスプレイ１７に表示し、リターンする。
【００５３】
ここで、ステップＳ１４でディスプレイ１７に表示する表示パターンＢの表示画面について説明する。
【００５４】
図１７及び図１８は、本発明の第１の実施形態において、インターネット接続が行われているときの表示例（表示パターンＢ）を示す図であり、インターネットにより入手する受信情報を表示するインターネット情報画面と、簡略化された経路誘導路を表示する簡易ナビゲーション画面とがそれぞれ同時に表示される表示画面を示す。この簡易ナビゲーション画面を表示するための表示処理を図１１を参照して説明する。
【００５５】
図１１は、本発明の第１の実施形態としての簡易ナビゲーション画面とインターネット情報画面との表示処理を示すフローチャートであり、図１０のステップＳ１４の詳細を示す。
【００５６】
同図において、ステップＳ１４１：ステップＳ１０の判断でＹＥＳ（接続操作有り）のときには、ステップＳ２で算出した現在位置と、経路誘導路表示モードとして予め設定されている目的地とをＲＡＭ１０２から読み出し、それらの地名を、図１８に「目的地」及び「現在地」と示している位置に表示可能に設定する。
【００５７】
ステップＳ１４２：現在位置と目的地との距離を、ＣＤ−ＲＯＭリーダ１３から読み出した地図データ（記憶装置１０４に現在記憶している地図データを含む、以下同様）に基づいて算出する。
【００５８】
ステップＳ１４３：ステップＳ１４２で算出した距離に応じて、経路表示画面（簡易ナビゲーション画面）２１０に所定の距離間隔で表示する目盛位置（図１８では５０ｋｍ等の目盛）を算出する。
【００５９】
ステップＳ１４４：当該目的地までに存在する主要な経由地をＣＤ−ＲＯＭリーダ１３から読み出した地図データにより入手すると共に、その経由地を表わすシンボルを経路表示画面２１０上で表示すべき位置を、当該経路誘導路情報に基づいて算出すると共に、そのシンボルの表示位置の隣（図１８では「経由地」と示している位置）に、当該経由地の地名を表示可能に設定する。
【００６０】
ステップＳ１４５：インターネット情報画面２１１と、経路表示画面２１０とを所定のサイズでディスプレイ１７に同時に表示する。このとき、インターネット情報画面は、情報内容がなく表示枠だけを表示する場合と、前回までの通信によって入手済みの情報内容を含む場合とがある。ここで、インターネット情報画面２１１と経路表示画面２１０との表示サイズについては、経路表示画面２１０は経路誘導路が簡略化されて表示されており、目的地に対する現在位置をドライバ等の乗員は直感的に把握することができるため、文字情報が多く含まれであろうインターネット情報画面２１１をできるだけ大きなサイズとし、経路表示画面２１０は比較的小さなサイズに設定することができる。
【００６１】
次に、ステップＳ１６で情報センター２に送信する車両信号の送信処理について説明する。
【００６２】
図１２は、本発明の第１の実施形態における車両信号の送信処理を示すフローチャートであり、図１０のステップＳ１６の詳細を示す。
【００６３】
同図において、ステップＳ１６１：ステップＳ１５でＹＥＳ（操作あり）のときには、状態フラグＦＬが１にセットされているか否かを判断する。
【００６４】
ステップＳ１６２：ステップＳ１６１の判断でＹＥＳ（ＦＬ＝１）のときには、情報センター２への前回の通信の終了タイミングから所定時間が経過したか否かを判断し、ＮＯ（所定時間以内）のときにはステップＳ１６４に進む。
【００６５】
ステップＳ１６３：ステップＳ１６２の判断でＹＥＳ（所定時間経過）のときには、ＲＡＭ１０２から車両１００の各種センサーの最新の検出値を読み出して、車両信号のセンサステータスビット（図６のフィールド３６１）として送出可能に設定する。
【００６６】
ステップＳ１６４：記憶装置１４（ＲＡＭ１０２であっても良い）に記憶しているところの、追加・更新された地図情報の識別情報、ＣＤ−ＲＯＭリーダ１３から読み出し可能な地図情報の識別情報、そしてナビゲーションユニット１の操作者が操作スイッチ１４の操作によって予め設定してある地図データの自動更新及び自動追加の許可／禁止を表わす更新可否フラグと追加可否フラグを読み出して、車両信号の地図データステータスビット（図６のフィールド３６２）として送出可能に設定する。また、ステップＳ２で算出した現在位置を、車両信号の現在位置ビット（図６のフィールド３６２）として送出可能に設定する。
【００６７】
ステップＳ１６５：状態フラグビットがＦＬ＝１に設定され、且つステップＳ１６３及び／またはステップＳ１６５で設定したセンサステータスビット及び／または地図データステータ・現在位置ビットを含む車両信号を、無線機１９を介して送信し、ステップＳ１７に進む。
【００６８】
ステップＳ１６６：ステップＳ１６１の判断でＮＯ（ＦＬ＝０）のときには、状態フラグビットがＦＬ＝０に設定され、且つセンサステータスビット及び地図データステータ・現在位置ビットを含まない車両信号を、無線機１９を介して送信し、ステップＳ１７に進む。
【００６９】
次に、ステップＳ１８の地図データの更新・追加処理及びインターネット情報の表示処理について説明する。
【００７０】
図１３は、本発明の第１の実施形態における地図データの更新・追加処理及びインターネット情報の表示処理を示すフローチャートであり、図１０のステップＳ１８の詳細を示す。
【００７１】
同図において、ステップＳ１８１：ステップＳ１７の判断でＹＥＳの（センター信号を受信した）ときには、状態フラグＦＬが１にセットされているか否かを判断し、ＮＯ（ＦＬ＝０）のときには地図データの更新・追加は行わないので、ステップＳ１８９に進む。
【００７２】
ステップＳ１８２：ステップＳ１８１の判断でＹＥＳ（ＦＬ＝１）のときには、今回受信したセンター信号が車両状態ビットを含むか否かを判断し、ＮＯの（車両状態ビットは含まない）ときにはステップＳ１８６に進む。
【００７３】
ステップＳ１８３：ステップＳ１８２の判断でＹＥＳの（車両状態ビットを含む）ときには、その車両状態ビットが表わすガイダンスをディスプレイ１７に表示する。このガイダンスとしては、例えば、情報センター２における故障診断（警告を含む）の結果に応じて、「＊＊＊の量が不足しています。点検を受けてください。」等の表示を行えば良い。また、後述するように、車両状態ビットにサービス工場に関するデータが含まれているときには、「＊＊＊＊サービス工場が＊＊＊＊に有ります。」等の表示すると共に、そのサービス工場の位置を経路表示画面２１０または図１６に示す一般的な経路誘導画面に表示すれば良い。
【００７４】
ステップＳ１８４：操作スイッチ１４の操作により、ステップＳ１８３で表示したガイダンスの今後の表示を禁止する操作が行われたか否かを判断し、ＮＯ（禁止操作なし）のときにはステップＳ１８６に進む。
【００７５】
ステップＳ１８５：ステップＳ１８５の判断でＹＥＳ（禁止操作あり）のときには、当該ガイダンスの表示を停止すると共に、その後の表示禁止を表わすフラグをＲＡＭ１０２に設定する。
【００７６】
ステップＳ１８６：今回受信したセンター信号が更新ビットを含むか否かを判断し、ＮＯの（更新ビットは含まない）ときにはステップＳ１８９に進む。
【００７７】
ステップＳ１８７：ステップＳ１８６の判断でＹＥＳの（更新ビットを含む）ときには、記憶装置１０４に地図データビットのデータを更新・追加する。
【００７８】
ステップＳ１８８：更新・追加を行った地図データを識別可能に、報知ユニット１８による音声またはディスプレイ１７への表示により、ドライバ等の乗員に報知し、ステップＳ１８９に進む。
【００７９】
ステップＳ１８９：表示パターンＢのインターネット情報画面２１１内に、今回受信したセンター信号の機能ビット及びデータビットに応じた情報内容を表示する。
【００８０】
＜情報センター２の制御＞
図１５は、本発明の第１の実施形態における情報センター２が行う情報配信制御処理を示すフローチャートであり、ホストコンピュータ２０１の不図示のＣＰＵにより実行される処理を表わす。
【００８１】
同図において、ステップＳ５１：コール信号または車両信号を受信したか否かを判断し、ＮＯの（受信しない）ときにはリターンする。
【００８２】
ステップＳ５２：ステップＳ５１の判断でＹＥＳの（受信した）ときには、受信したコール信号または車両信号のナビＩＤビットが表わすナビゲーションユニット１のＩＤ情報が予めデータベース２０２に登録されている所定のグループに属しているか否かを判断する。
【００８３】
ステップＳ５３：ステップＳ５２の判断でＮＯの（グループに属していない）ときには、配信を要求されている情報を含む車両信号を、現在の課金料金帯の範囲内で送信できるだけの残り時間が有るかを判断し、ＮＯ（残り時間無し）のときには、その後も通信が継続されるかはナビゲーションユニット１のユーザに委ねるため、ステップＳ５５に進む。
【００８４】
ステップＳ５４：ステップＳ５３の判断でＹＥＳ（残り時間有り）のときには、無線基地局２１に終話無効信号を送信する。ここで、終話無効信号は、車両１００（無線機１９である携帯電話）側で終話操作が行われても、回線切断の禁止を無線基地局２１及び／または情報センター２と無線基地局２１との公衆回線網を制御する不図示の基地局に指示する信号である。
【００８５】
ここで、上記のステップＳ５３からステップＳ５４の処理について図１４を参照して説明するれば、情報センター２において、送信すべき情報が同一料金帯の残り時間内で送信できると判断したときには、図１４に示すように、車両側で終話操作が行われても、回線の切断を禁止することにより、新たな通信コストの発生を防止することができる。
【００８６】
ステップＳ５５：車両１００側で配信を要求されている情報を含むセンター信号を、無線基地局２１を介してナビゲーションユニット１に送信し、リターンする。即ち、今回受信したコール信号または車両信号が図４のフィールド構成を有していたときには、図５に示すフィールド構成を有するセンター信号であって、その信号の機能ビット及びデータビットに、受信したコール信号または車両信号の機能ビット及びデータビットに応じた情報内容を含むセンター信号を送信する。また、今回受信したコール信号または車両信号が図６のフィールド構成を有していたときには、図７に示すフィールド構成を有するセンター信号であって、その信号の機能ビット及びデータビットに、受信したコール信号または車両信号の機能ビット及びデータビットに応じた情報内容を含み、且つ車両状態ビット、更新ビット、そして地図データビットを含まないセンター信号を送信する。
【００８７】
ここで、情報センター２は、残り時間内に送信すべき車両信号の送信を完了できないことを承知で送信開始するが、車両１００側のユーザは、基本的には、要求している情報がディスプレイ１７に表示されるまでは終話操作を行わないはずであり、或いは、その情報が必要無くなったときには終話操作を行うはずであり、利便性を損なうことはない。
【００８８】
ステップＳ５６：ステップＳ５２の判断でＹＥＳの（グループに属する）ときには、今回受信したコール信号または車両信号は図６のフィールド構成を有するため、その信号に含まれる状態フラグビットＦＬが１にセットされているか否かを判断し、ＮＯ（ＦＬ＝０）のときにはステップＳ５３に進む。
【００８９】
ステップＳ５７，ステップＳ５８：ステップＳ５６の判断でＹＥＳ（ＦＬ＝１）ときには、当該コール信号または車両信号のセンサステータスビットのデータに基づいて、車両１００の現在の状態（車両状態）として、所定の項目についての故障診断及び警告判断を行い（ステップＳ５７）、故障等が有るとき（ＹＥＳのとき）にはステップＳ６１に進み、無いとき（ＮＯのとき）にはステップＳ５９に進む。
【００９０】
ステップＳ５９，ステップＳ６０：当該コール信号または車両信号の地図データステータスビットのデータに基づいて、車両１００側で現在使用可能な地図データのバージョン（ステータス）を確認し（ステップＳ５９）、更新・追加すべき地図データとして、これらか送信するセンター信号で送信すべき地図データが有るか否かを判断し（ステップＳ６０）、送信すべき地図データが無い（ＮＯの）ときにはステップＳ５３に進み、有る（ＹＥＳの）ときにはステップＳ６３に進む。
【００９１】
ステップＳ６１，ステップＳ６２：当該コール信号または車両信号の現在位置ビットのデータに基づいて、データベース２０２を参照することにより、その現在位置ビットが表わす車両１００の現在位置の近辺のサービス工場を検索し（ステップＳ６１）、ステップＳ５７における故障診断結果（警告判断の結果を含む）と、ステップＳ６１の検索結果とを表わすデータを、今回送信するセンター信号の車両状態ビットに含て送信可能なように設定する。
【００９２】
ステップＳ６３：送信すべきデータが複数有るときには、優先順位を決定する。優先順位としては、例えば、現在位置付近の地図データ、詳細縮尺の地図データ、現在ナビゲーションユニット１のディスプレイ１７に表示している地図データ、車両１００の進行方向の地図データ、現在車両１００側で使用可能な最も古い地図データに相当する最新の地図データ等の順位付けを予め設定しておけば良い。
【００９３】
ステップＳ６４：車両１００側で配信を要求されている情報と、送信すべき地図データ及び／または車両状態データとを含むセンター信号を、ステップＳ６３で決定した順位の高いデータの順に、現在の課金料金帯の範囲内で送信できるだけの残り時間が有るかを、上述したステップＳ５３の場合と同様に判断し、ＮＯ（残り時間無し）のときには、その後も通信が継続されるかはナビゲーションユニット１のユーザに委ねるため、ステップＳ６６に進む。
【００９４】
ステップＳ６５：ステップＳ６４の判断でＹＥＳ（残り時間有り）のときには、無線基地局２１に終話無効信号を送信する。
【００９５】
ステップＳ６６：車両１００側で配信を要求されている情報と、優先順位が高く且つ送信可能な地図データ及び／または車両状態データとを含むセンター信号を、無線基地局２１を介してナビゲーションユニット１に送信し、リターンする。即ち、図７に示すフィールド構成を有するセンター信号であって、その信号の機能ビット及びデータビットに、受信したコール信号または車両信号の機能ビット及びデータビットに応じた情報内容を含み、且つステップＳ６２で設定した車両状態ビット及び／またはステップＳ５９で地図データを設定したときにはその地図データビットと更新ビットとを含むセンター信号を送信する。
【００９６】
以上説明したように、本実施形態によれば、情報センター２は、コール信号または車両信号を車両１００から受信した場合において、それらの信号に応じたインターネット情報をセンター信号によって送信するときに、その送信すべきセンター信号の中に、更新・追加が必要な地図データ及び／または故障診断に関する情報を自動的に含ませて効率的に送信することができるため、これら地図データや故障診断に関する情報だけを送信するためだけの通信が発生することを無くすことがで、通信コストを抑制することができる。また、情報センター２において、送信すべきデータの優先順位を決定し、その送信すべき情報が同一料金帯の残り時間内で送信できると判断したときには、車両側で終話操作が行われても、回線の切断を禁止することにより、新たな通信コストの発生を防止することができる。
【００９７】
また、受信情報であるインターネット情報と、ナビゲーション情報である経路誘導路とが、図１７及び図１８に示す表示例のように、ディスプレイ１７に同時に表示され、経路誘導路の表示も制御周期毎にアクティブに更新されていくため、利便性を向上することができる。特に、図１８に示すように経路誘導路を簡略化して表示することができるため、小さな表示サイズであっても、ドライバ等の乗員は、目的地に対する車両の現在位置を直感的に把握することができる。このため、インターネット情報画面のサイズを大きく設定できるため、表示されるインターネット情報を容易に読み取ることができる。
【００９８】
また、本実施形態では、インターネット情報と経路誘導路とが表示されているときに、経路誘導路上の地名等を操作スイッチ１４によって選択することにより、その地名に関するインターネット情報を情報センター２より入手し、ディスプレイ１７に表示することができるため、更に利便性を向上することができる。
【００９９】
＜第１の実施形態の変形例＞
（変形例１）
上述した図１５の情報配信制御処理では、コール信号または車両信号を受信する度にセンサステータスビット等を判断し、更新が必要か否かを判断しているが、より通信コストを低減させるためには、回線切断状態からの初回の情報配信のときのみ更新・追加すべき地図データ及び／または車両状態データを送信すべく、ステップＳ５２の判断において、受信した信号がコール信号か否かを更に判断し、ＹＥＳのとき（受信した信号がコール信号であって、ＩＤがグループに属している）ときのみステップＳ５６以降の処理を行えば良い。
【０１００】
（変形例２）
上述した第１の実施形態では、情報センター２において更新・追加すべき地図データの優先順位を決定し、その順位と通信残り時間との関係から自動的に送信すべき地図データを送信している。本変形例では、情報センター２において送信すべき地図データを決定するのではなく、図１５のステップＳ６０で送信すべき地図データが有ると判断したときには、ステップＳ６６で地図データ自体を送信するのではなく、その地図データの表わす情報内容を識別可能な項目データを、例えばデータビットに含むセンター信号を送信する。そして、当該項目データを含むセンター信号を受信したナビゲーションユニット１は、図１０のステップＳ１８において、次回受信するセンター信号によって入手可能な地図データに関する項目を、操作スイッチ１４の操作により選択可能にディスプレイ１７に表示する。そして、ナビゲーションユニット１は、次回の車両信号の送信時に、選択された項目を表わすデータをデータビット等に含む車両信号を送信すれば良い。本変形例によれば、例えば、不慣れな場所で、現在使用可能な地図データに登録されていない最新のレストラン等を捜すとき等、操作者自身が目的とするサービス情報を含む地図データを短時間で効率的に入手することができる。
【０１０１】
［第２の実施形態］
本実施形態では、上述した第１の実施形態における構成を基本として、更新・追加すべき地図データ及び／または車両状態データをセンター信号によって送信するのではなく、図８に示す車両状態／更新信号によって単独で送信する。以下、上述した第１の実施形態と同様な構成については説明を省略し、本変形例の特徴的な部分を中心に説明する。
【０１０２】
図８は、本発明の第２の実施形態における車両状態／更新信号のフィールド構成を示す図であり、上述したセンター信号と異なるのは、フィールド３０４の機能ビットと、フィールド３０６のパリティビットとの間に、フィールド３６６の車両状態ビット、フィールド３６７の車両状態ビット、そしてフィールド３６８の地図データビットを有することである。
【０１０３】
＜ナビゲーションユニット１の制御＞
図１９は、本発明の第２の実施形態におけるナビゲーションユニット１が行う表示・通信制御処理の抜粋部分を示すフローチャートである。
【０１０４】
同図が第１の実施形態の図９及び図１０のフローチャートと異なるのは、ステップＳ１７の判断でＮＯ（センター信号を受信しなかった）ときにステップＳ３１の処理を行う点が異なる。
【０１０５】
ステップＳ３１では、車両状態／更新信号を受信したかを判断し、ＹＥＳの（受信した）ときにはステップＳ１８１に進み、ＮＯの（受信しない）ときにはステップＳ１９に進む。
【０１０６】
＜情報センター２の制御＞
図２０は、本発明の第２の実施形態における情報センター２が行う情報配信制御処理の抜粋部分を示すフローチャートであり、図１５のフローチャートとはステップＳ６４以降の処理が異なる。
【０１０７】
即ち、ステップＳ７１：ステップＳ６３で優先順位を決定したら、現在のタイミングが送受信ブランク期間か否かを判断し、ＮＯ（信号を送信中または受信中）のときにはリターンする。ここで、送受信ブランク期間とは、ナビゲーションユニット１と情報センター２との間で信号の送信も受信も行われていないタイミング（図１４にＢＬで示す期間）であり、例えば、情報センター２において情報検索を行っているときや、ドライバ等が操作スイッチ１４に設定操作を行っているとき等が想定される。
【０１０８】
ステップＳ７２：ステップＳ７１の判断でＹＥＳ（送受信ブランク期間）のときには、更新・追加すべき地図データ及び／または車両状態データを含む車両状態／更新信号を、無線基地局２１を介してナビゲーションユニット１に送信し、リターンする。
【０１０９】
以上説明した本実施形態によっても、通信効率を向上させることができるため、地図データや故障診断に関する情報だけを送信するためだけの通信が発生することを無くすことがで、通信コストを抑制することができる。
【０１１０】
尚、上記の第２の実施形態では、地図データ及び車両状態データを、車両状態／更新信号によって単独で送信したが、第１の実施形態のようにこれらのデータを車両信号に含めて送信する処理と、車両状態／更新信号によって送信する処理を併せて行うように構成しても良い。
【０１１１】
【発明の効果】
以上説明したように、本発明によれば、使用可能な地図情報を自動的に且つ効率的に更新・追加する車両用情報表示装置と、その更新・追加すべき地図情報を自動的に且つ効率的に送信する情報配信装置の提供が実現する。
【０１１２】
即ち、請求項１、請求項１１、請求項２０、請求項２８の発明によれば、乗員に煩わしい操作を行わせること無く、地図情報またはサービス情報を単独で、或いはそれらの情報とは異なる受信情報（配信情報）と共に、自動的に且つ効率的に送受信することができる。
【０１１３】
また、請求項２、請求項１２、請求項２１、請求項２９の発明によれば、地図情報またはサービス情報が無線通信の送受信アイドル期間に単独で送受信されるため、それら情報の通信のためだけに通信コストが発生することなく、地図情報またはサービス情報を効率的に更新・追加することができる。
【０１１４】
また、請求項３、請求項１３、請求項２２、請求項３０の発明によれば、車両側において、常に最新の地図情報またはサービス情報を使用可能な状態にすることができる。
【０１１５】
また、請求項４、請求項１４、請求項２３、請求項３１の発明によれば、更新・追加すべき地図情報またはサービス情報の通信に際して特別な通信コストの発生を防止することができる。
【０１１６】
また、請求項５、請求項１５、請求項２４、請求項３２の発明によれば、必要な情報を効率的に入手することができる。
【０１１７】
また、請求項６及び請求項１６の発明によれば、地図情報またはサービス情報の更新・追加が自動的に行われたことを操作者が認識することができる。
【０１１８】
また、請求項７，８，１７，１８，２５，３３の発明によれば、例えば、操作者が所望する位置にランドマークを付与した地図情報、或いは今後も利用するつもりだったサービス情報等が自動的に更新されてしまうことを防止することができる。
【０１１９】
また、請求項９及び請求項２７の発明によれば、例えば、不慣れな場所で、現在使用可能な地図情報に登録されていない最新のレストラン等を捜すとき等、操作者自身が目的とするサービス情報を含む地図データを短時間で効率的に入手することができる。
【０１２０】
また、請求項１０，１９，２６，３４の発明によれば、操作者自身が必要な情報を選択することができ、不必要な地図情報またはサービス情報が更新・追加されることによる通信コストの増加を防止することができる。
【図面の簡単な説明】
【図１】本発明の第１の実施形態における無線通信システムのシステム構成図である。
【図２】本発明の第１の実施形態における無線通信システムのブロック構成図である。
【図３】本発明の第１の実施形態における車両と情報センターとの通信手順を概念的に示す説明図である。
【図４】本発明の第１の実施形態におけるコール信号及び車両信号のフィールド構成を示す図である。
【図５】本発明の第１の実施形態におけるセンター信号のフィールド構成を示す図である。
【図６】本発明の第１の実施形態におけるコール信号及び車両信号のフィールド構成を示す図である。
【図７】本発明の第１の実施形態におけるセンター信号のフィールド構成を示す図である。
【図８】本発明の第２の実施形態における車両状態／更新信号のフィールド構成を示す図である。
【図９】本発明の第１の実施形態におけるナビゲーションユニット１が行う表示・通信制御処理を示すフローチャートである。
【図１０】本発明の第１の実施形態におけるナビゲーションユニット１が行う表示・通信制御処理を示すフローチャートである。
【図１１】本発明の第１の実施形態としての簡易ナビゲーション画面とインターネット情報画面との表示処理を示すフローチャートである。
【図１２】本発明の第１の実施形態における車両信号の送信処理を示すフローチャートである。
【図１３】本発明の第１の実施形態における地図データの更新・追加処理及びインターネット情報の表示処理を示すフローチャートである。
【図１４】本発明の第１の実施形態における通信シーケンスを説明する図である。
【図１５】本発明の第１の実施形態における情報センター２が行う情報配信制御処理を示すフローチャートである。
【図１６】本発明の第１の実施形態において、インターネット接続が行われていないときの経路誘導路の表示例（表示パターンＡ）を示す図である。
【図１７】本発明の第１の実施形態において、インターネット接続が行われているときの表示例（表示パターンＢ）を示す図である。
【図１８】本発明の第１の実施形態において、インターネット接続が行われているときの表示例（表示パターンＢ）を示す図である。
【図１９】本発明の第２の実施形態におけるナビゲーションユニット１が行う表示・通信制御処理の抜粋部分を示すフローチャートである。
【図２０】本発明の第２の実施形態における情報センター２が行う情報配信制御処理の抜粋部分を示すフローチャートである。
【符号の説明】
１：ナビゲーションユニット，
２：情報センター，
１１：ＧＰＳ受信機，
１２：ＶＩＣＳ受信機，
１３：ＣＤ−ＲＯＭリーダ，
１４：操作スイッチ，
１５：車速センサ，
１６：ジャイロセンサ，
１７：ディスプレイ，
１８：報知ユニット，
１９：無線機，
２０：各種センサー群，
２１：無線基地局，
１００：車両，
１０１：ＣＰＵ，
１０２：ＲＡＭ，
１０３：ＲＯＭ，
１０４：記憶装置，
２０１：ホストコンピュータ，
２０２：データベース，
【図１】
0003703066.tif 000002
【図２】
0003703066.tif 000003
【図３】
0003703066.tif 000004
【図４】
0003703066.tif 000005
【図５】
0003703066.tif 000006
【図６】
0003703066.tif 000007
【図７】
0003703066.tif 000008
【図８】
0003703066.tif 000009
【図９】
0003703066.tif 000010
【図１０】
0003703066.tif 000011
【図１１】
0003703066.tif 000012
【図１２】
0003703066.tif 000013
【図１３】
0003703066.tif 000014
【図１４】
0003703066.tif 000015
【図１５】
0003703066.tif 000016
【図１６】
0003703066.tif 000017
【図１７】
0003703066.tif 000018
【図１８】
0003703066.tif 000019
【図１９】
0003703066.tif 000020
【図２０】
0003703066.tif 000021